(57)【特許請求の範囲】
【請求項１】
自動原稿搬送部を備えるプラテンカバーと、
前記自動原稿搬送部に形成されて、給紙口側の前半経路と排紙口側の後半経路とで構成される搬送経路と、
前記自動原稿搬送部の上部に設けられて、前記前半経路を開閉する搬送部カバーと、
前記後半経路に沿って設置された複数個の駆動ローラーと、該後半経路を挟んで該駆動ローラーの対向位置に形成された複数個の従動ローラーとを有し、これら駆動ローラーと従動ローラーとの間に原稿用紙をニップして、該原稿用紙を前記排紙口に向かって送給するローラー機構と、
前記後半経路に臨んで設けられ、前記搬送部カバーの開放動作に連動して、一又は二以上の前記従動ローラーを、ニップ状態が解除される方向に分離する排紙機構と、
を備え、
前記排紙機構が、前記搬送部カバーの開放動作に連動して左右方向へスライド変位されるカム枠を備えており、
前記ローラー機構を構成する一又は二以上の従動ローラーが、前記搬送部カバーの開放動作に連動して、前記カム枠によりニップ状態が解除される方向へ分離されるように構成されていることを特徴とする画像読取装置。
【請求項２】
前記排紙機構が、前記カム枠のスライド動作に連動して往復する解除体を備えており、
前記ローラー機構を構成する従動ローラーの少なくともひとつを、前記カム枠に連動して前記解除体で分離する請求項１記載の画像読取装置。
【請求項３】
複数個の従動ローラーの従動ローラー軸が、前記カム枠で受け止められており、
前記カム枠に、前記従動ローラー軸を前記駆動ローラーから分離する第１カムが設けられている請求項１または２記載の画像読取装置。
【請求項４】
前記従動ローラーの従動ローラー軸が、前記解除体で受け止められており、
前記カム枠に、前記解除体を介して前記従動ローラー軸を前記駆動ローラーから分離する第２カムが設けられている請求項２または３記載の画像読取装置。
【請求項５】
前記カム枠は、左右に長いスライド部と、前記スライド部の側端に設けられる受動部とを一体に備えており、
前記カム枠は、前記従動ローラーが前記駆動ローラーとの間でニップ状態となる待機位置と、前記従動ローラーが前記駆動ローラーから分離する作動位置との間でスライドできるように支持されており、
前記搬送部カバーの揺動軸の近傍に、前記受動部を作動位置へ向かって操作する第１操作部と、前記受動部を待機位置へ向かって操作する第２操作部とが設けられている請求項１、２、３または４記載の画像読取装置。
【請求項６】
原稿載置台の内部に配置された、前記原稿用紙の第１面を読み取る第１読取ユニットと、
横臥Ｕ字状の前記搬送経路で囲まれる空間に配置された、前記原稿用紙の第２面を読み取る第２読取ユニットとを備え、
前記第２読取ユニットは、コンタクトガラスが前記後半経路と正対する使用位置と、前記前半経路の外へ退避する退避位置との間で揺動可能に支持されており、
前記第２読取ユニットのコンタクトガラスと対向する個所に、原稿をコンタクトガラスに押し付ける押え枠が設けられており、
前記解除体は、前記押え枠に設けられており、
前記搬送部カバーを開放し、さらに前記第２読取ユニットを退避姿勢にした状態において、前記前半経路の全てと、前記押え枠に隣接する駆動ローラーと前記排紙口との間の前記後半経路を開放できる請求項２から５のいずれかに記載の画像読取装置。
【請求項７】
前記カム枠が左右に長いスライド部を備えており、
前記スライド部の上面および下面が、ガイド体でスライド自在に案内してある請求項２から６のいずれかに記載の画像読取装置。
【請求項８】
前記解除体に、前記従動ローラー軸を受け止める軸受部と、前記第２カムで操作される受動片とが設けられている請求項４から６のいずれかに記載の画像読取装置。  
【発明の詳細な説明】
【技術分野】
【０００１】
本発明は、コピー機、スキャナー、ファクシミリなどに適用される画像読取装置に関し、なかでも、プラテンカバーに設けられる自動原稿搬送部（以下、単にＡＤＦという。）における紙詰り時の排紙機構の改良に関する。
【背景技術】
【０００２】
この種の排紙機構に関して、例えば特許文献１の排紙機構が公知である。そこでは、給紙トレイを通常の水平姿勢から起立操作することにより、排紙ガイドをばねの付勢力に抗して押し下げ、排紙ガイドに設けた従動側の排紙ローラーを駆動側の排紙ローラーから分離して、原稿の取り出しを容易化している。給紙トレイの回動中心の近傍には、排紙ガイドを押し下げ操作するための偏心カムが設けられている。同様の排紙機構は特許文献２にも開示があり、該特許文献２に係る排紙機構では、ＡＤＦ上部のカバーを開放するときの動作をレバーで解除レバーに伝え、解除レバーに同行して揺動する分離パットを分離ローラーの周面から分離して、原稿の取り出しを容易化している。
【０００３】
なお、コピー機の定着装置の紙詰り処理のために、専用の排紙ダイヤルを記録紙の搬送経路に設け、排紙ダイヤルを回動して記録紙を取り出す形態の排紙機構も知られている（特許文献３）。
【先行技術文献】
【特許文献】
【０００４】
【特許文献１】特開２００２−２２０１４６号公報（段落番号００３３、図５）
【特許文献２】特開２００４−１３６９９９号公報（段落番号００４１〜００４２、図１）
【特許文献３】特開２００２−２７８３３２号公報（段落番号００１９、図５）
【発明の概要】
【発明が解決しようとする課題】
【０００５】
特許文献１および特許文献２の排紙機構においては、給紙トレイを起立する向きへ操作して排紙従動ローラー対を分離し、あるいはカバーを開放して分離パットと分離ローラーを分離することにより、原稿の取り出しを容易化している。しかし、特許文献１の排紙機構では、原稿の搬送経路の終端に設けた排紙ローラー対を分離しているに過ぎない。同様に、特許文献２の排紙機構では、原稿の搬送経路の始端に設けた分離パットと分離ローラーとを分離しているに過ぎない。
【０００６】
多くの場合、ＡＤＦにおける原稿の搬送経路は、給紙口と排紙口が同じ側面で開口できるようにＵ字状に構成されており、搬送経路に沿って複数組の送給ローラーが設けられている。そのため、原稿の搬送経路の中途部で紙詰りが生じた場合には、先の特許文献１、２に記載の排紙機構を適用したとしても排紙することはできない。こうした場合には、搬送経路の中途部の紙詰りに対応できる排紙機構を設けることになるが容易ではない。
【０００７】
その点、特許文献３の排紙機構によれば、搬送経路の中途部で紙詰りを生じたとしても、排紙ダイヤルを回動して記録紙を取り出すことができる。しかし、排紙ダイヤルを操作するまでに、カバーの開放や、定着ユニットの筐体からの引き出しなどを行なう必要があり、一連の排紙作業に多くの手間が掛かり、ユーザーにとって煩わしい作業となっている。また、一連の排紙作業は所定の手順に従って適正に行なう必要があるが、手順を無視したまま、詰まった記録紙や原稿を無理やり引っ張り出そうとして破損することもある。
【０００８】
本発明の目的は、紙詰りした原稿を少ない手間で簡単に、しかも確実に取り出すことができる画像読取装置を提供することにある。本発明の目的は、原稿の搬送経路の中途部で紙詰りが生じたとしても、搬送経路に沿って設けた複数の送給従動ローラーが密着する状態を解放して、簡便に原稿を取り出すことができる画像読取装置を提供することにある。本発明の目的は、読取ユニットを内蔵するＡＤＦに好適な排紙機構を備えた画像読取装置を提供することにある。
【課題を解決するための手段】
【０００９】
本発明に係る画像読取装置は、自動原稿搬送部を備えるプラテンカバーと、前記自動原稿搬送部に形成されて、給紙口側の前半経路と排紙口側の後半経路とで構成される搬送経路と、前記自動原稿搬送部の上部に設けられて、前記前半経路を開閉する搬送部カバーと、前記後半経路に沿って設置された複数個の駆動ローラーと、該後半経路を挟んで該駆動ローラーの対向位置に形成された複数個の従動ローラーとを有し、これら駆動ローラーと従動ローラーとの間に原稿用紙をニップして、該原稿用紙を前記排紙口に向かって送給するローラー機構と、前記後半経路に臨んで設けられ、前記搬送部カバーの開放動作に連動して、一又は二以上の前記従動ローラーを、ニップ状態が解除される方向に分離する排紙機構とを備える。そして、前記排紙機構が、前記搬送部カバーの開放動作に連動して左右方向へスライド変位されるカム枠を備えており、前記ローラー機構を構成する一又は二以上の従動ローラーが、前記搬送部カバーの開放動作に連動して、前記カム枠によりニップ状態が解除される方向へ分離されるように構成されていることを特徴とする。
【００１２】
前記排紙機構が、前記カム枠のスライド動作に連動して往復する解除体を備えており、前記ローラー機構を構成する従動ローラーの少なくともひとつを、前記カム枠に連動して前記解除体で分離されるようにする。
【００１３】
複数個の前記従動ローラーの従動ローラー軸が、前記カム枠で受け止められており、前記カム枠に、前記従動ローラー軸を前記駆動ローラーから分離する第１カムを設ける。
【００１４】
前記従動ローラーの従動ローラー軸が、前記解除体で受け止められており、前記カム枠に、前記解除体を介して前記従動ローラー軸を前記駆動ローラーから分離する第２カムが設けられている。
【００１５】
前記カム枠は、左右に長いスライド部と、前記スライド部の側端に設けられる受動部とを一体に備える。前記カム枠は、前記従動ローラーが前記駆動ローラーとの間でニップ状態となる待機位置と、前記従動ローラーが前記駆動ローラーから分離する作動位置との間でスライドできるように支持されている。前記搬送部カバーの揺動軸の近傍に、前記受動部を作動位置へ向かって操作する第１操作部と、前記受動部を待機位置へ向かって操作する第２操作部とが設けられている。
【００１６】
原稿載置台の内部に配置された、前記原稿用紙の第１面を読み取る第１読取ユニットと、横臥Ｕ字状の前記搬送経路で囲まれる空間に配置された、前記原稿用紙の第２面を読み取る第２読取ユニットとを備える。前記第２読取ユニットは、コンタクトガラスが前記後半経路と正対する使用位置と、前記前半経路の外へ退避する退避位置との間で揺動可能に支持されている。前記第２読取ユニットのコンタクトガラスと対向する個所に、原稿をコンタクトガラスに押し付ける押え枠が設けられている。前記解除体は、前記押え枠に設けられている。前記搬送部カバーを開放し、さらに前記第２読取ユニットを退避姿勢にした状態において、前記前半経路の全てと、第２押え枠に隣接する駆動ローラーと前記排紙口との間の前記後半経路を開放できるようにする。
【００１７】
前記カム枠が左右に長いスライド部を備えており、前記スライド部の上面および下面が、ガイド体でスライド自在に案内してある。
【００１８】
前記解除体が前記第２押え枠に設けられている。前記解除体に、前記従動ローラー軸を受け止める軸受部と、前記第２カムで操作される受動片とが設けられている。
【発明の効果】
【００１９】
本発明においては、自動原稿搬送部における搬送経路を、給紙口側の前半経路と、排紙口側の後半経路とで構成し、搬送部カバーを開放することにより前半経路を開放できるようにした。また、後半経路に配置した一又は二以上の従動ローラー、或いは後半経路に配置した複数個の前記従動ローラーと前記駆動ローラーのいずれかを、搬送部カバーの開閉に連動する排紙機構で分離して、駆動ローラーと従動ローラーとが密着して原稿用紙をニップする状態を解放できるようにした。このように、搬送部カバーの開放動作を利用して、両ローラーのニップ状態を排紙機構で解除すると、単に搬送部カバーを開放するだけで前半経路を開放し、同時に、駆動ローラーと従動ローラーによる原稿の拘束を解除できるので、原稿の取り出しを容易に行なえる。さらに、搬送経路の中途部で紙詰りが生じたとしても、紙詰りした原稿を少ない手間で簡単に、しかも確実に取り出すことができる。
【００２０】
駆動ローラーと従動ローラーのうち、従動ローラーを排紙機構で分離して両ローラーのニップ状態を解除すると、排紙機構の構造を簡素化できる。さらに、駆動ローラーの駆動構造が複雑になるのを避けることができ、全体として自動原稿搬送部の構造がいたずらに複雑になるのが解消される。
【００２１】
カム枠を備えた排紙機構によれば、搬送部カバーの開放に連動してカム枠を一側方へスライド変位させて、後半経路に配置した一又は二以上の従動ローラーを駆動ローラーから分離し、両ローラーが密着する状態を解除できる。したがって、後半経路において紙詰りが生じたとしても、紙詰りした原稿を少ない手間で簡単に、しかも確実に取り出すことができる。
【００２２】
上記のカム枠に加えて解除体を備えた排紙機構で従動ローラーを分離すると、個々の従動ローラーに適した方向に沿って、従動ローラーをカム枠および解除体で個別に分離できる。例えば、ある従動ローラーをカム枠で左斜め下方向へ分離し、別の従動ローラーを解除体で右斜め下方向へ分離することができる。したがって、後半経路において従動ローラーが配置される位置の違いによって、各従動ローラーの分離する方向が異なる場合であっても、各従動ローラーをカム枠および解除体で的確に分離できる。因みに、各従動ローラーの分離する方向が異なるのは、従動ローラーが湾曲する部分に配置される場合と、直線部に配置される場合とで、駆動ローラーから離れる向きが異なるからである。
【００２３】
複数個の従動ローラー軸をカム枠で受け止め、各従動ローラー軸をカム枠で分離すると、従動ローラーに比べて直径寸法が小さな従動ローラー軸をカム枠で分離できるので、従動ローラーをカム枠で分離する場合に比べて、カム枠を小形化して排紙機構をコンパクトにまとめることができる。
【００２４】
上記と同様に従動ローラー軸を解除体で受け止め、従動ローラー軸を解除体で分離すると、従動ローラーに比べて直径寸法が小さな従動ローラー軸をカム枠で分離できるので、従動ローラーを解除体で分離する場合に比べて、解除体を小形化して排紙機構をコンパクトにまとめることができる。さらに、カム枠および解除体を、通紙の邪魔にならない従動ローラー軸の前後端にまとめて配置できる。また、さらに、カム枠に設けた第１カムと第２カムで、カム枠のスライド動作をスライド方向と交差する向きの動作に変換して、従動ローラー軸と解除体を分離するので、カム枠と解除体を連動させる構造が複雑になるのを避けて、排紙機構のコンパクト化に寄与できる。
【００２５】
カム枠にスライド部と受動部を設け、搬送部カバーの第１操作部と第２操作部とで受動部を操作して、カム枠を作動位置と待機位置とに切り換えると、搬送部カバーを開放する動作の一部または全部を利用してカム枠をスライド操作できる。例えば、搬送部カバーを開放するとき、開放ストロークの最後の部分でカム枠をスライド操作して、従動ローラーを分離できる。同様に、搬送部カバーを閉じ姿勢にするとき、閉じストロークの最後の部分でカム枠をスライド操作して、従動ローラーを密着する状態に戻すことができる。したがって、搬送部カバーの開閉量と、カム枠のスライド量とに大きな開きがある場合であっても、カム枠を適正な量だけスライド操作できる。
【００２６】
内部に第２読取ユニットが配置してある自動原稿搬送部において、第２読取ユニットを退避姿勢にして、後半経路のうち駆動ローラーと排紙口との間の経路を開放できるようにすると、後半経路に詰まった原稿の取り出しをさらに簡便に行なえる。また、駆動ローラーと排紙口との間の経路を開放することにより、紙詰まり状態を視認しながら原稿を取り出すことができるので、原稿を取り出す過程で紙面の一部が破損するような不具合を確実に防止できる。全体として、読取ユニットを内蔵する自動原稿搬送部に好適な排紙機構を備えた画像読取装置を提供できる。
【００２７】
カム枠に設けたスライド部の上面および下面を、ガイド体でスライド自在に案内すると、スライド時のカム枠の蛇行やがたつきをガイド体で規制できるので、搬送部カバーの開放に連動して従動ローラーを遅滞なく的確に分離できる。ガイド体の第２カムによる解除体の押し下げ動作を確実に行なえる。
【００２８】
後半経路に配置した第２押え枠に解除体を設けると、第２押え枠が往復する動作を利用して解除体で従動ローラーを分離操作できるので、解除体を支持するための構造を省略して、排紙機構を簡素化できる。
【図面の簡単な説明】
【００２９】
【図１】本発明に係る画像読取装置において、排紙機構を開放した状態の縦断正面図である。
【図２】画像読取装置を概念的に示す正面図である。
【図３】自動原稿搬送部の縦断正面図である。
【図４】排紙機構を示す横断平面図である。
【図５】搬送経路の全てを開放した状態の自動原稿搬送部の縦断正面図である。
【図６】排紙機構の正面図である。
【図７】従動ローラーの支持構造を示す断面図である。
【発明を実施するための形態】
【００３０】
（実施例）  図１から図７は本発明に係る画像読取装置を、コピー機能とファクシミリ機能とを備えた複合機に適用した実施例を示す。なお、本発明における前後、左右、上下とは、図２および図４に示す交差矢印と、各矢印の近傍に表記した前後、左右、上下の表示に従う。
【００３１】
図２において複合機は、記録部１と、記録部１の上側に配置される画像読取部２とを備えている。記録部１には、画像記録装置３や定着装置４などが設けてある。画像読取部２の上面には、原稿読取面を開閉するプラテンカバー５が設けられ、その上部にＡＤＦ（自動原稿搬送部）６が組み込んである。画像読取部２の前面には、操作パネル７が設けてある。記録部１の下方には給紙カセット８が配置してある。画像記録装置３や定着装置４を経由して画像がプリントされた用紙は、画像読取部２の下方の排紙部９へ排出される。プラテンカバー５は、その後端に設けたヒンジ（図示省略）を中心にして上下に揺動することにより、原稿載置台の上面に被さり、あるいは原稿載置台の上面を開放できる。
【００３２】
図３において原稿載置台の上面はプラテンガラス１１で覆われており、その内部に、原稿の第１面を読み取る第１読取ユニット１２と、同ユニット１２を支持するキャリッジなどが配置してある。第１読取ユニット１２は、光源１３と、第１から第４の各ミラー１４〜１７、およびＣＣＤイメージセンサー１８などで構成する。第１読取ユニット１２をコンタクトガラス１９の真下に位置させておくことにより、ＡＤＦ６でコンタクトガラス１９の上面に沿って搬送される原稿の画像を読み込むことができる。また、プラテンガラス１１の上に載置された固定原稿を読み込む場合には、第１読取ユニット１２をプラテンガラス１１の側縁の下方に位置させた状態で走査する。なお、原稿の第１面とは、原稿を原稿トレイ２１に載置したときに上側になる面であり、原稿の第２面とは、原稿を原稿トレイ２１に載置したときに下側になる面である。
【００３３】
ＡＤＦ６は、上側の原稿トレイ２１と下側の排紙トレイ２２との間に設けた横臥Ｕ字状の搬送経路２３を有し、その内部に原稿の第２面を読み取る第２読取ユニット２４が設けてある。搬送経路２３には、給紙口２５に臨んで配置されるピックアップローラー２６、および給紙ローラー２７と、後述する３組の送給ローラー５５・５６、５７・５８、５９・６０と、排紙口２８に臨んで配置される排紙ローラー２９が設けてある。
【００３４】
搬送経路２３において、コンタクトガラス１９に対向する個所と、第２読取ユニット２４のコンタクトガラス５１に対向する個所には、それぞれ原稿をコンタクトガラス１９・５１に押し付ける押え枠３０・３１が配置してある。同様に、給紙ローラー２７の下面側には、原稿を給紙ローラー２７に押し付ける押え枠３２が配置してある。押え枠３０は片持ち梁状に形成してあり、自己の弾性でコンタクトガラス１９に密着している。押え枠３１は、圧縮コイル型のばね３３でコンタクトガラス５１に押し付けられており、押え枠３２は圧縮コイル型のばね３４で給紙ローラー２７に押し付けられている。
【００３５】
搬送経路２３は、給紙口２５と排紙口２６が同じ側面で開口できるように横臥Ｕ字状に構成されており、その上半を占める給紙口２５側の前半経路３７と、下半を占める排紙口２８側の後半経路３８とで構成する。前半経路３７は、給紙口２５から後述する従動ローラー５６と従動ローラー５８の中途部までの搬送経路であり、湾曲する経路の中央部より上側の搬送路を意味する。後述するように、搬送部カバー３９を開き操作したときに開放される部分が前半経路３７である。後半経路３８は、従動ローラー５６と従動ローラー５８の中途部から排紙口２８までの搬送経路であり、先に述べた湾曲する経路の中央部より下側の搬送路を意味する。
【００３６】
前半経路３７は、搬送部カバー３９で覆われており、図５に示すように搬送部カバー３９を開き操作することにより、前半経路３７の全てを開放することができる。搬送部カバー３９は横臥Ｌ字状に形成してあり、図３に示す閉じ姿勢と、図５に示す開放姿勢とに揺動できる。そのために、搬送部カバー３９の側端の下部に設けた揺動軸４０を搬送部フレーム４１で支持している（図４参照）。閉じ姿勢にした搬送部カバー３９は、ＡＤＦ６の上部の外郭線を構成する。先に説明したピックアップローラー２６および給紙ローラー２７と、後述する従動ローラー５６とが搬送部カバー３９の内面に設けてある。
【００３７】
第２読取ユニット２４は、光源４５と、第１から第３の各ミラー４６〜４８、およびＣＣＤイメージセンサー４９などで構成してあり、その全体が中空のハウジング５０の内部に収容してある。第１ミラー４６と対向するハウジング５０の下壁にはコンタクトガラス５１が設けてあり、先に説明した押え枠３１がこのコンタクトガラス５１に密着している。ハウジング５０の上壁は、搬送部カバー３９と協同して前半経路３７の一部を構成しており、ハウジング５０の下壁は搬送部フレーム４１と協同して後半経路３８の一部を構成している。先に説明した押え枠３２はハウジング５０の上壁に組み付けてある。
【００３８】
３組の供給ローラーのうちのひとつは、前半経路３７の湾曲部に配置してあり、残る２組の供給ローラーは、後半経路３８の湾曲部と、押え枠３１の上流側に隣接する位置とに配置してある。各供給ローラーは、駆動ローラー５５・５７・５９と、従動ローラー５６・５８・６０で構成する。図７に示すように、後半経路３８に配置した従動ローラー５８・６０は、その周面が駆動ローラー５７・５９と密着する向き（駆動ローラ５７・５９との間でニップ状態を確立する向き）にばね６２で押し付けられている。ばね６２は板ばねで形成してあり、その一端が搬送部フレーム４１に固定され、他端に設けた軸受部６３が従動ローラー５８・６０の各従動ローラー軸６４・６５に外接している。従動ローラー５８・６０および従動ローラー軸６４・６５は、後述する排紙機構で操作されて、搬送部フレーム４１に形成したガイド溝６６（図７参照）に沿ってスライド変位できる。
【００３９】
搬送経路２３において紙詰りした原稿を簡便に取り出すために、先に説明したように、搬送部カバー３９を揺動して前半経路３７を開放できるようにしている。また、第２読取ユニット２４が収められたハウジング５０を、駆動ローラー５５の駆動ローラー軸６９の回りに揺動して、駆動ローラー５９と排紙口２８との間の後半経路３８を開放できるようにしている（図５参照）。さらに、後半経路３８に沿って配置した排紙機構で、従動ローラー５８・６０を駆動ローラー５７・５９から分離できるようにしている。ハウジング５０は、図３に示すように、コンタクトガラス５１が後半経路３８と正対する使用位置と、図５に示すようにハウジング５０が前半経路３７の外へ退避する退避位置とに変位できる。
【００４０】
図４および図６において、排紙機構は、搬送部フレーム４１で左右へスライド自在に支持される一対のカム枠７０と、カム枠７０のスライド動作に連動して往復する向きに操作される一対の解除体７１とからなる。カム枠７０および解除体７１は、搬送部カバー３９が開閉する動作を利用して操作される。図６に示すように、カム枠７０は左右に長いスライド部７２と、スライド部７２の左突端に設けられる柱状の受動部７３とを一体に備えている。スライド部７２の上面および下面は、搬送経路２３を区画する内側のガイド壁と一体に設けた上側のガイド体９０と、搬送部フレーム４１に設けた下側のガイド体９１でスライド自在に案内してある。なお、搬送経路２３を区画する内側のガイド壁は、図５において駆動ローラー５５と、押え枠３０との間に形成してあり、その中途部に駆動ローラー５７が配置してある。スライド部７２の下面と、スライド部７２の右突端のそれぞれには、従動ローラー５８・６０を分離するための第１カム７４と第２カム７５が形成してある。これらのカム７４・７５はそれぞれ平坦な斜面で形成してある。カム枠７０は、図６に示す待機位置と、図１に示す作動位置とにスライドでき、待機位置から作動位置へ切り換えられた状態において、従動ローラー５８・６０を駆動ローラー５７・５９から分離する向きに操作する。
【００４１】
図６に示すように、受動部７３の上部に、搬送部カバー３９が開放されるときの動作を受け継ぐ第１受部７６と、第２受部７７が形成してある。第１受部７６は、受動部７３の上部の左向きの垂直面からなり、第２受部７７は、第１受部７６に隣接する右向きの垂直面からなる。解除体７１は押え枠３１の前端および後端のそれぞれに設けてあり、従動ローラー軸６５を受け止める軸受部８０と、第２カム７５で操作される受動片８１と、駆動ローラー軸８２で案内されるスライド腕８３を一体に備えている。
【００４２】
搬送部カバー３９の揺動軸４０の近傍には、先の第１受部７６に接触してカム枠７０を作動位置へ向かって操作する第１操作部８５と、第２受部７７に接触してカム枠７０を待機位置へ向かって操作する第２操作部８６とが設けてある。第１操作部８５は、閉じ状態における搬送部カバー３９の上壁の側端縁に設けてある。第２操作部８６は、搬送部カバー３９の前後の周壁に形成してあり、図６に示すように同カバー３９を閉じた状態において垂直線に沿って下方へ突出している。図５に示すように、搬送部カバー３９を開放姿勢にした状態では、第１操作部８５寄りの上壁が搬送フレーム４１で受け止められて、自重で開放する姿勢を維持している。
【００４３】
以上のように構成したＡＤＦ６において原稿の紙詰まりが生じた場合には、以下のようにして原稿を搬送経路２３から取り出す。原稿が、給紙口２５を含む前半経路３７で紙詰まりした場合には、搬送部カバー３９を開放する。この状態では、給紙ローラー２７と押え枠３２、および駆動ローラー５５と従動ローラー５６とが分離して、前半経路３７の全体が開放されるので、原稿の取り出しをごく簡単に行なえる。また、搬送部カバー３９を開放するだけのワンタッチ操作で、原稿を速やかに取り出せる。原稿の一部が後半経路３８側へ入り込み、駆動ローラー５７と従動ローラー５８との接触部分に達していたとしても、後述するように、搬送部カバー３９の開放に連動して両従動ローラー５７・５８が密着する状態を解放できるので、問題なく原稿を取り出せる。
【００４４】
原稿が、後半経路３８で紙詰まりした場合には、搬送部カバー３９を開放し、さらにハウジング５０を図５に示すように退避位置へ開放する。搬送部カバー３９を開放する姿勢にするのと同時に、第１操作部８５が受動部７３の第１受部７６に接触して、カム枠７０の全体を図１において右側へスライド操作する。カム枠７０の右方へのスライドにより、第１カム７４が従動ローラー軸６４をばね６２の弾性に逆らいながら左斜め下向きに押し下げる。同時に、第２カム７５が受動片８１および解除体７１を斜め下向きに押し下げて、従動ローラー軸６５を右斜め下向きに押し下げる。その結果、従動ローラー５８・６０は図１に示すように駆動ローラー５７・５９から分離し、両者の間に十分な隙間が形成されるので、各従動ローラー５８・６０に挟まれていた原稿を解放できる。
【００４５】
ハウジング５０を退避位置へ開放することにより、後半経路３８のうち駆動ローラー５９と排紙口２８との間の経路を開放できる。したがって、図５に示すように原稿が後半経路３８の湾曲部において詰まっていたとしても、原稿の一部を開放された経路に露出させて、簡単に取り出すことができる。以後は、ハウジング５０を使用位置へ戻し、さらに搬送部カバー３９を閉じ姿勢に戻すことにより、ＡＤＦ６を使用可能な状態とすることができる。
【００４６】
搬送部カバー３９を閉じ姿勢に戻すのに連動して、第２操作部８６が受動部７３の第２受部７７に接触して、カム枠７０を待機位置へ向かってスライド操作する。これにより、第１カム７４による拘束が解除されて、従動ローラー５８および従動ローラー軸６４がばね６２で斜め上向きに押し戻される。同様に、第２カム７５による解除体７１の拘束が解除されるので、従動ローラー６０および従動ローラー軸６５がばね６２で斜め上向きに押し戻される。その結果、従動ローラー５８・６０は駆動ローラー５７・５９に密着して、原稿を送給できる状態に戻る。
【００４７】
以上のように構成した排紙機構によれば、単に搬送部カバー３９を開き操作するだけで、前半経路３７の全てを開放し、同時に駆動ローラー５７・５９と従動ローラー５８・６０が密着する状態を解放できる。また、ハウジング５０を退避位置へ開放することにより、駆動ローラー５９と排紙口２８との間の経路を開放して原稿を露出させることができる。したがって、搬送経路２３のどの部分で原稿が紙詰まりしたとしても、原稿を少ない手間で簡単に、しかも確実に取り出すことができる。また、搬送経路２３の中途部で紙詰りが生じたとしても、複数の駆動ローラー５７・５９と従動ローラー５８・６０が密着する状態を解放して、両従動ローラーによる原稿の拘束を解放できる。さらに、駆動ローラー５９と排紙口２８との間の経路を開放することにより、紙詰まり状態を視認しながら原稿を取り出すことができるので、原稿を取り出す過程で紙面の一部が破損するのを防止できる。
【００４８】
上記の実施例では、ＡＤＦ６の内部に第２読取ユニット２４が設けてある場合について説明したが、本発明の排紙機構は、この種の読取ユニットを備えていないＡＤＦ６にも適用できる。その場合には、従動ローラー軸６４・６５をカム枠７０で直接に、しかも同時に、あるいは時間差を設けて分離して、駆動ローラー５７・５９と従動ローラー５８・６０が密着する状態を解放することができる。必要があれば、２個以上の従動ローラーを排紙機構で分離することができる。
【００４９】
従動ローラー軸６４・６５は同時に分離する必要はなく、順に分離してもよい。また、従動ローラー軸６４・６５をカム枠７０で分離する代わりに、従動ローラー５８・６０をカム枠７０で分離することができる。上記の実施例では、従動ローラー５８・６０を分離して、駆動ローラー５７・５９とのニップ状態を解除したが、必要があれば駆動ローラー５７・５９を分離して、従動ローラー５８・６０とのニップ状態を解除してもよい。もちろん、従動ローラー５８・６０と駆動ローラー５７・５９を同時に分離して、両者のニップ状態を解除してもよい。
【符号の説明】
【００５０】
５  プラテンカバー
６  ＡＤＦ（自動原稿搬送部）
２３  搬送経路
２５  給紙口
２８  排紙口
３７  前半経路
３８  後半経路
３９  搬送部カバー
５７・５９  駆動ローラー
５８・６０  従動ローラー
７０  カム枠
７１  解除体
７４  第１カム
７５  第２カム
８５  第１操作部
８６  第２操作部
【図１】
0005387840.tif 000002
【図２】
0005387840.tif 000003
【図３】
0005387840.tif 000004
【図４】
0005387840.tif 000005
【図５】
0005387840.tif 000006
【図６】
0005387840.tif 000007
【図７】
0005387840.tif 000008